Podtech/llm-jp-corpus-v4-ja_patent huggingface dataset:
(57)【要約】【課題】本発明は新しく買った携帯電話が傷がつかないように袋状の携帯ストラップを使用することにより携帯電話の傷を防ぐことを提供する。【手段】まずは携帯電話よりやや小さめの袋を、延びる布で制作します。その際携帯電話の縦の長さより約１センチ長めに制作し入り口からの傷も防ぎます。次に、ゴムひもを輪状にしたものを袋入り口あたりに縫い付け完成です。【選択図】図１
2008200459.tif 000002
【特許請求の範囲】
【請求項１】
携帯電話を購入の際、携帯電話を入れる袋の形状をしたストラップ制作し携帯電話に傷がつかないようにする。
【請求項２】
携帯電話の保護用の袋を製作した際に、袋を携帯電話の長さより１ｃｍほど長めに製作すること。
【請求項３】
携帯電話の保護用の袋を製作した際に、携帯電話にその袋を装着する時、ゴムひもを使用すること。
【発明の詳細な説明】
【技術分野】
【０００１】    本発明は携帯電話にストラップとして装着し、またそれを携帯電話に挿入することで、携帯電話に傷がつかないようにするためのものである。
【背景技術】
【０００２】    従来携帯電話を購入しても、ポケットに入れたり鞄に入れたりして他のものと接触し傷がついてしまう。
【発明の開示】
【発明が解決しようとしている課題】
【０００３】  新しく携帯電話を購入しても、ポケットや鞄の中に入れておくと他のものと接触しせっかくの新しい携帯電話が傷だらけになってしまうので、携帯電話を袋状のストラップに入れて傷がつかないようにする。また、出し入れが簡単にできるように、その袋は口を閉じるタイプのものでなく、実際の携帯電話より約１センチ長い形状のものを製作し、入り口からの衝撃に対しても、傷がつかないようにする。
【課題を解決するための手段】
【０００４】  まずは、綿生地等ののびる布地で携帯電話の形に大体合った袋をとし、ゴムひもを輪の時状にしたものを縫い付け携帯電話に装着する。携帯電話を使用しない時はその袋の中に入れておき傷がつくのを防ぐ。
【発明の効果】
【０００５】    本発明を使用するにことによって、新しい携帯電話を買っても、時間がたつと他のものと接触して傷だらけになってしまいますが、本製品を使用することによっていつまでも傷のない美しい状態で携帯電話を維持することができる。
【発明を実施するための最良の形態】
【０００６】  以下、本発明の実施の形態を説明する。
（イ）綿生地等の延びる布（２）で携帯電話（５）と同形状の上方を開口（４）とする略長方形の袋よりやや小さめで長辺が約１センチ長い袋（１）を制作する。
（ロ）袋（１）に携帯電話に輪状にしたゴムひも（３）を縫い付ける。
【図面の簡単な説明】
【０００７】
【図１】本発明の正面図
【図２】本発明の使用状態を示す正面図
【図３】本発明の袋体の伸びる布の正面図
【図４】本発明の使用状態を示す正面図
【符号の説明】
【０００８】  （１）（２）布、（３）ゴムひも、（４）開口部、（５）携帯電話
【図１】
2008200459.tif 000003
【図２】
2008200459.tif 000004
【図３】
2008200459.tif 000005
【図４】
2008200459.tif 000006
(57)【要約】      （修正有）【課題】使用ごとに直接食材や刃物に手を触れることなく安全かつ衛生的に、また、ナイフ等の準備や片付けの煩わしさを無くし、効率よく食材を削る機器を提供する。【解決手段】容器１に、削り刃３と軸４を一体化させた回転フタ２を設置し、回転フタ２を手で回転することにより削り刃３が容器１内の食材を削り、同時に軸４に取り付けた圧底５がねじ山の噛み合わせにより移動し、容器１内の食材に圧力を加えることにより、より安全に効率よく食材を削れるようにした。【選択図】図１
2008200452.tif 000002
【特許請求の範囲】
【請求項１】
食材を入れる容器、容器に取り付けた回転フタ、回転フタに取り付けた削り刃及び軸、軸に取り付けた加圧底からなる食材削り機。
【請求項２】
請求項１の食材削り機で、回転フタの一部が削り刃である食材削り機。
【発明の詳細な説明】
【技術分野】
【０００１】  本発明は、削り機に関するものであり、容器に食材を設置し、回転フタを回転させることにより、削り刃と軸を回転させ、軸に取り付けた加圧底が、軸のねじ山により、削り刃方向に移動し、食材に圧力を加え、削り刃により食材を削れるものである。
【背景技術】
【０００２】  日常生活において、チ−ズ、バタ−、サラミなどの食品を削って使用することは多い。しかしながら、それには、ナイフ、包丁などの道具が別に必要な場合が多く、準備に手間がかかったり、後片付けが煩わしかったり、使用する度に手で触れることが多く、衛生的に課題があった。
【発明の開示】
【発明が解決しようとする課題】
【０００３】  チ−ズ、バタ−、サラミなどの食材を削って使用する場合、ナイフ、包丁などの道具は使用する度に準備と片づけをしなければならない煩わしさがあった。【０００４】  また、使用する度に食材を手で触れることの衛生面に課題があった。【０００５】  また、ナイフなどで最後まで食材を削るには、小さくなった食材を扱うため刃物により手や指を切る危険性があった。
【課題を解決するための手段】
【０００６】  この課題を解決するための請求項１の発明は、容器に削りたい食材を設置し、回転フタを回転させることにより、回転フタに取り付けた削り刃と軸を回転させ、軸に取り付けた加圧底のねじ山と軸のねじ山の噛み合わせにより、加圧底が削り刃方向に移動し、食材に圧力を加え、削り刃により食材を削れることを特徴とする。【０００７】  また、請求項２の発明は、請求項１の食材削り機で、回転フタの一部により食材が削れることを特徴とする。
【発明の効果】
【０００８】  本発明により、数多くの食材への対応が可能であり、容器ごと適切な状態で保存すれば、食材を収納する容器と削り刃が一体化しているため削るための道具の準備・片づけがいらず機能的であり、かつ、使用の度に直接食材に触れることなく衛生的である。さらに、加圧底により食材に一定の圧力を加え削るため本発明の使用で、より安全に効率よく食材を削ることができる。
【発明を実施するための最良の形態】以下、本発明の一実施例を図１から図５に基づき説明する。【０００９】  図１は、請求項１の発明の実施例の分解一部断面図であり、容器１は食材を入れる容器で、中が空洞になっており、一端が回転フタ２に差し込むことができ、もう一端には加圧底５が差し込める。回転フタ２には、削り刃３と雄ねじ状のねじ山を設けた軸４が設置されている。加圧底５には軸４のねじ山に適合した雌ねじ状の差込部分があり、加圧底５に軸４が差し込めるようになっている。軸４及び加圧底５のねじ山の数や間隔は用途に応じたものでよい。【００１０】  図２は、図１の構成部品を組み立てた図であり、食材は容器１に入れる。回転フタ２は容器１を手で固定し別の手で回転するか、または、回転フタ２を手で固定し別の手で容器１を回転するようになっている。回転フタ２には、食材を削れるように食材方向に角度をつけて削り刃３が、回転の中心には、ねじ山を設けた軸４が設置されており、回転フタ２の回転により回転するようになっている。削り刃３は、組立時に食材の堅さ、弾力性などにより、木、金属、プラスティク、ガラス、樹脂などの材質及び平型、スプ−ン型、スクリュ−型、ツイスト型、かまぼこ型、プロペラ型などの形状を選択して設置することが可能である。削り刃３を設置した底面には排出のための穴があり、そこから削り刃３により削られた食材を排出できる構造になっている。加圧底５は軸４に差し込まれており、容器１の空洞部分の形状及び加圧底５の形状により軸４の回転により回転しないようになっている。軸４の回転で、加圧底５とのねじ山の噛み合わせにより加圧底５は容器１の空洞部分内を、加圧底５の厚みにより容器１の内側で傾かず、容器１の内側に対しほぼ垂直を保ったまま、削り刃３方向に回転フタ２の一回転によりねじ山一つ分移動し、容器内の食材に圧力を加え、容器内の食材をより効率的に削ることができる。【００１１】  図３は、底面図であり、回転フタ２に、食材方向に角度をつけて削り刃３が設置されている。削り刃３は、１枚または複数枚でもよい。底面部分には削り刃３により削られた食材を排出するための穴がある。軸４が回転フタ２の中心に設置されている状況を回転フタ２を透過し点線で示してある。削り刃３及び軸４は、回転フタ２に、溶接、接着剤、ネジなどで固定されている。【００１２】  図４は、軸４の回転により、回転しない加圧底５の形状の実施例を、容器１と加圧底５と軸４の部分を上から見た平面図であり、容器１の食材を入れる空洞部分が正円ではなく、加圧底５は空洞部分の形状に合わせているため、容器１の内側の壁にかかり、差し込まれた軸４の回転により、加圧底５は回転しない。【００１３】  図５は、実施例の斜視図であり、容器１と回転フタ２、軸４と加圧底５の関係を示したものである。【００１４】  請求項２の発明は、請求項１の削り刃３の部分に、回転フタ２の一部を鋭利にし、食材方向に角度をつけ、食材を削るものである。これにより請求項１より構造が簡略化できる。
【図面の簡単な説明】
【００１５】
【図１】  実施例の分解一部断面図である。
【図２】  実施例の断面図である。
【図３】  実施例の底面図である。
【図４】  実施例を上から見た平面図である。
【図５】  実施例の斜視図である。
【符号の説明】
【００１６】  １    容器
２    回転フタ
３    削り刃
４    軸
５    加圧底
【図１】
2008200452.tif 000003
【図２】
2008200452.tif 000004
【図３】
2008200452.tif 000005
【図４】
2008200452.tif 000006
【図５】
2008200452.tif 000007
(57)【要約】      （修正有）【課題】ジクソ−パズルの絵柄表面板に、形状は特定されない数多くの嵌め込みピ−スを仕切り縁を設けて嵌め込み凹穴を型抜きすると共に、嵌め込みピ−スを形成し前記嵌め込み凹穴を塞ぐ底板の個々の型内の適当な箇所に小さな穴を設けて前記絵柄表面板に貼着したジクソ−パズル。  ジクソ−パズルの各ピ−スを安定的にそれぞれの仕切り縁を設けた嵌め込み凹穴に嵌装し、容易に抜脱できることとする。【解決手段】ジクソ−パズルの絵柄表面板１に、形状は特定されない数多くの嵌め込み凹穴２をそれぞれ仕切り縁３を設けて型抜きすると共に、前記嵌め込み凹穴を塞ぐ底板６のそれぞれの型内の適当な箇所に小さな穴を押し出し用穴８として設けて、絵柄表面板１の裏面に貼着する。【選択図】図４
2008200466.tif 000002
【特許請求の範囲】
【請求項１】
ジクソ−パズルの絵柄表面板に、形状が特定されない嵌め込みピ−ス凹穴を仕切り縁を設けて型抜きして、多数の嵌め込みピ−スを形成すると共に、前記型抜きをした嵌め込み凹穴を塞ぐ底板の個々の型内の適当な箇所に小さな穴を設けて、前記絵柄表面板の裏面に貼着したジクソ−パズル。
【発明の詳細な説明】
【技術分野】
【０００１】  本発明は、ジクソ−パズルの嵌め込みピ−スの嵌脱に関するものである。
【背景技術】
【０００２】  従来のジクソ−パズルにおいては、絵柄表面板の周り縁内に各絵柄ピ−スの隣接辺や絵柄の連結性をもとに並装して絵柄一面を復元させる方法や、又は絵柄表面板の嵌め込み凹穴を塞ぐ底板の表面の表示と各嵌め込みピ−スの表面、並びに裏面に表記された相関関係の何れかを示す表示等を照合して嵌め込み凹穴に嵌装し完成された絵柄一面を復元させていたが、抜脱の方法に問題があった。
【発明の開示】
【発明が解決しょうとする課題】
【０００３】  しかし、従来のようなジクソ−パズルでは、バラバラに分割された絵柄ピ−スを隣接辺の連結性、又は底板の型内の表面と各嵌め込みピ−スの裏面に表記された相関関係を示す表示を照合して、絵柄表面板の周り縁内に、隣接片のかかりあいを基準として完成された絵柄一面を復元させていたが、このような方法では、隣接辺の結合性の弱いからみあいのない絵柄ピ−スを絵柄の連結性だで並装する場合には、絵柄表面板を水平に近い状態にしないと、絵柄ピ−スの並装状態が不安定であり、又隣接辺の結合性の強いからみあいで繋げて並べる場合でも、絵柄ピ−スを連結順に並べる必要があるのと、途中で間違った絵柄ピ−スを取り替える場合に、他の絵柄ピ−スのからみあいに影響をおよぼし、全面の絵柄が復元されるまでが非常に不安定であった。又、嵌め込みピ−スを嵌め込み凹穴に嵌装する場合には、嵌め込みピ−スを抜脱する方法に問題があった。本発明は、嵌め込みピ−スの正しい嵌め込み凹穴を探求して各ピ−ス毎に常に安定した状態で嵌め込めると同時に、嵌め込みピ−スを抜脱する方法として、底板の型内に小さな穴を押し出し用穴として設けて、別途部材の押し出し棒を差し込んで前記嵌め込みピ−スを容易に抜脱できることを課題とする。
【課題を解決するための手段】
【０００４】  本発明においては、ジクソ−パズルの絵柄表面板に、形状は特定されない嵌め込み凹穴をそれぞれ仕切り縁を設けて型抜きすると共に、前記嵌め込み凹穴を塞ぐ底板のそれぞれの型内の適当な箇所に小さな穴を押し出し用穴として設けて、絵柄表面板の裏面に貼着してこの課題を解決したジクソ−パズルである。この底板と絵柄表面板とを貼着して二重構造にすることで、嵌め込みピ−スを絵柄表面板の嵌め込み凹穴に受け止めることができると同時に、嵌め込みピ−スの裏面の表記に相対する表示を表記できるし、この小さな穴を押し出し用穴として設けることで、別途部材の押し出し棒で抜脱を容易にできることを特徴とするのである。
【発明の効果】
【０００５】    １  個々の嵌め込みピ−スの嵌装、嵌抜が容易である。
２  嵌め込みピ−スの型抜きの形状をそれぞれ異なる型にすることで、絵柄と型等の      視覚だけを頼りに嵌め込み位置が探求できると共に、嵌め込みピ−スの表面の字句      や文様と嵌め込み凹穴の表記とを結びつける等、幼児向けの幼稚なパズル玩具を提      供できる。
３  複雑な絵柄の型抜きの形状を同型にすることで、絵柄や隣接辺の結びつきで探求      することが困難で、底板の表面と嵌め込みピ−スの裏側の表記の相関関係を関係辞      典や辞書で学習しながら完成した絵柄一面を復元することの達成感が味わえる。相      関関係を調べるために関係文献等を繙き、より高度な知識を得るための手段に慣れ      親しむことに貢献できる高度なジクソ−パズルが提供できる。
４  嵌め込みピ−スを底板の押し出し用穴に差し込む別途部材の押し出し棒で容易に      抜脱できるために、繰り返して嵌脱できるので、不特定多数の人の学習教育材料し      ての利用価値が大である。
【発明を実施するための最良の形態】
【０００６】  本発明のジクソ−パズルは、図１、４、５、６に示す絵柄表面板１の嵌め込み凹穴２に仕切り縁３を設けて、図４に示す嵌め込みピ−ス４を型抜きし、図２に示す嵌め込みピ−スの裏面５と、前記絵柄表面板１の嵌め込み凹穴２を塞ぐ図１、３、４に示す底板６の嵌め込み凹穴２の型内の表面に相関関係の図４、５、６に示す図５に示す字句や文様７を表記し、嵌め込み凹穴２を塞ぐ底板６の型内の適当な箇所に、別途部材の押し出し棒で抜脱を容易にするための小さな図１、３、４、５に示す押し出し用穴８を設けている。以上の構成により復元された完成した図７に示す絵柄一面９が提供できるのである。
【産業上の利用可能性】
【０００７】  本発明のジクソ−パズルの製造工程において、小さな穴の打ち抜き作業の簡単な工程が加わるだけでよく、作業の容易性並びに製造コストの面からも産業上の利用可能性が大である。
【図面の簡単な説明】
【０００８】
【図１】  本発明に係る絵柄復元前の平面構成図である。
【図２】  本発明に係る嵌め込みピ−スの裏面の字句や文様を表記した実施例図である。
【図３】  本発明に係る表面絵柄を型抜きした嵌め込みピ−スの実施例図である。
【図４】  本発明に係る絵柄表面板を形状型抜きした実施例図である。
【図５】  本発明に係る型抜き状態を示す実施要領図である。
【図６】  本発明の二重構造を示す断面斜視図の拡大詳細図である。
【図７】  本発明に係る絵柄復元後の完成図である。
【符号の説明】
【０００９】        １    絵柄表面板
２    嵌め込み凹穴
３    仕切り縁
４    嵌め込みピ−ス
５    嵌め込みピ−スの裏面
６    底板７字句や文様
８    押し出し用穴
９    絵柄一面
【図１】
2008200466.tif 000003
【図２】
2008200466.tif 000004
【図３】
2008200466.tif 000005
【図４】
2008200466.tif 000006
【図５】
2008200466.tif 000007
【図６】
2008200466.tif 000008
【図７】
2008200466.tif 000009
(57)【要約】      （修正有）【課題】塗装面の塗料が、完全に乾燥しない状態で歩くことが出来、作業短縮、経済効果も大幅に改善される靴裏カバーシールを提供すること。【解決手段】作業靴を履いたまま簡単に装着できる様、作業靴より大きめに作製した不織布製の靴カバー１の底部に離型紙シールを貼り、靴裏カバーシールの底部の離型紙は、塗料が付着し難い素材を採用し、靴裏カバーシールを足首で止める為、輪ゴムを縫製し輪ゴム部２を設け、脱げない様に止めた。【選択図】図１
2008200464.tif 000002
【特許請求の範囲】
【請求項１】
不織布製靴裏カバーは、塗装面の塗料が、完全に乾燥しない状態で歩くことが出来ることで作業性が改善される事を目的とする。
【請求項２】
不織布製靴裏カバーは、作業靴より大きいサイズとし、上部を輪ゴム止めとし、作業靴を履いたまま簡単に装着する事が出来る、請求項１の不織布製靴裏カバー。
【請求項３】
不織布製靴裏カバーの底部に、片面糊付離型紙を貼付け未乾燥でも作業出来る事を特徴とする不織布製靴裏カバー。
【請求項４】
不織布製靴裏カバーは、安価で何物にも負けない、経済的に優れ、使用後にも焼却出来る、環境にも良い事を特徴とする請求項２、３のいずれかに記載の不織布製靴裏カバー。
【発明の詳細な説明】
【技術分野】
【０００１】本発明は、塗装面が完全に乾燥しない状態で歩くことが出来、作業性が改善される靴裏カバーシールに関する。
【背景技術】
【０００２】従来は、塗装が完全に硬化乾燥した後で作業に入っていたが、靴裏カバーシールに塗装が着かない為、未乾燥状態で作業に入れる事が利点である。
【発明の開示】
【発明が解決しようとする課題】
【０００３】上記の靴裏カバーシールは、塗装が十分乾燥していない状態で、塗装面を歩くことが出来、作業性改善に大いに役立つと思われる。
【課題を解決する為の手段】
【０００４】本発明は、靴に不織布製の靴カバーを履き、底部に離型紙シールを貼り、未乾燥の塗装面を歩く事で、作業時間が短縮される事を手段とする。
【発明の効果】
【０００５】本発明により、塗装面が完全に乾燥終了後でないと作業に移れなかった時間短縮になり、経済効果が大いにある靴裏カバーシールである。
【発明を実施するための最良の形態】
【０００６】靴裏カバーシールの底部の離型紙は、塗料が付着し難い素材を採用し、作業靴に履く時も、簡単に装着できる構造になっている。【０００７】本発明を添付する図面に基づいて、以下詳細に説明をする。【０００８】図１に於いて、１は不織布にて作業靴より大きめに作製した靴カバー。【０００９】図１−２は、靴カバーを足首で止める為、輪ゴムを縫製し、脱げない様に止めた。【００１０】図２に於いて、１は塗料が付着し難い離型紙を採用し未乾燥の塗装面でも作業出来る。【００１１】図２−２は、片面糊付シールに離型紙を貼付け、不織布製靴裏カバー底部にこれを剥がし貼付ける。
【図面の簡単な説明】
【００１２】
【図１】本体靴カバーの見取図
【図２】靴カバー裏に貼付ける離形紙と糊付シールの見取図
【符号の説明】
【００１３】１  靴カバー
２  輪ゴム部
【００１４】１  離形紙
２  片面糊付シール
【図１】
2008200464.tif 000003
【図２】
2008200464.tif 000004
(57)【要約】【課題】本発明は洋式便座を使用の際、利用者が直接便座に肌をつける不快感の解消と便座の衛生面を考慮し、且つ、ワンタッチで便座にセットできる利便性の高い便座ペーパーシート収納敷設を提供することを目的とする。【解決手段】便器蓋裏部分▲１▼にペーパーシート収納ボックス▲２▼を設置し、使用の際、ペーパーシート取り出し部分▲３▼より、１枚取り出し便座シート部分▲４▼全体に覆い被せる。この時点では、ペーパーシートはまだ収納装置から切り離されていない為、便座シートからズレたり落ちたりする不具合を防ぐことができる。使用後はペーパーシートカット部分▲５▼より切り離しトイレに流すことができる。【選択図】図１
2008200462.tif 000002
【特許請求の範囲】
【請求項１】
便座ペーパーシート収納ボックスは、公共施設など複数の利用者が使用するトイレにおいて、利用者が直接便座に肌をつける不快感の解消と便座の衛生面を解決する手段として極めて有効であり、ペーパーシートは環境問題を考慮した水溶性の素材を使用する。
【請求項２】
洋式便器蓋裏部分に便座ペーパーシート収納ボックスを設置し、便座ペーパーシートの利用が短時間で容易にできることを特徴とする収納ボックスである。
【請求項３】
利用の際、前記収納ボックスからペーパーシートを１枚引き出せばそのまま便座シート上に覆い被せられ、使用の際ズレなどがなく瞬時にトイレの利用ができる。
【請求項４】
用を足した後、ペーパーシートを軽く引けば、ボックス内で使用したペーパーシートのみ裁断され、直接トイレに流すことができる。
【発明の詳細な説明】
【技術分野】
【０００１】  本発明は洋式便器の蓋裏部分に取り付けるペーパーシート収納ボックスに関するものである。
【背景技術】
【０００２】  従来の便座ペーパーシートは、単に便座に乗せるだけのものであり、使用の際、便座からズレたり、また、便座にセットするまでに時間を要するものが多い。さらに専用装置等の製作費、経費のかかるものが多かった。
【発明の開示】
【発明が解決しようとする課題】
【０００３】  従来の便座ペーパーシートは、その形状による不便性があり、シートにセットするまでの作業、そして、セットしてからは使用時にズレたりする可能性も大きい。これを解決するには大掛かりな器具、装置等はコスト高に通じ、広く普及するに程遠い存在である。
【課題を解決するための手段】
【０００４】  ペーパーシートの形状はあらかじめ、便座シートの形状に合わせカッティングされている。ペーパーシートは便座フタ裏部分に取り付けられた収納ボックスに収められ、使用の度に１枚ずつ取り出し便座シート上に覆い被せる。ペーパーシートは使用の際、ズレたり落ちたりしないように収納ボックスに固定され、使用後は簡単に切り捨てられる。
【発明を実施するための最良の形態】
【０００５】  〈イ〉ペーパーシート図２▲６▼は、各種の便座シートに対応するため、サイズに余裕をもって裁断する。トイレ使用後捨てる際、ペーパーシートをカットしやすいように、のり付け又は切り取りのミシン線図２▲７▼を施しておく。
〈ロ〉ペーパーシートを入れる収納ボックス図１▲２▼は、プラスチック製や紙製からなり、折り込まれたペーパーシートを収納する。
〈ハ〉取り出されたペーパーシートは、切らずに広げると便座シートにスムーズに覆い被さり、用をたす時、直接肌が触れる所が全く無くなり不快感もなく、非常に衛生的である。
〈ニ〉使用後は、ペーパーシートを前方に引くと、容易に切り捨てることが出来る。
〈ホ〉切り取ったペーパーシートは、水溶性の素材を使用するのでそのまま水に流す事ができる。
【発明の効果】
【０００６】  不特定多数の人が利用する洋式便器においては、着座の際直接肌に触れる不快感を解消できる。また衛生面においても汚れを未然に防止し、快適にトイレを利用することができる。ペーパーシート収納ボックスの洋式便器取り付けも、両面接着テープまたは接着剤の使用で簡単に取り付けができる。又、使用頻度の高い場所や恒久的に使用する場合、便器の蓋裏部分に収納ボックスが簡単に取り替えられるよう、ホルダーをあらかじめ取り付けておけば、交換も容易である。使用の際は、固定された収納ボックスからワンタッチでペーパーシートを取り出し便座にセットできる。ペーパーシートおよび収納ボックスいずれもコスト面において原材料費がかからず製作できる。また、ペーパーシートは水溶性の素材を使用する為、利用後水で流すことができ、ゴミの増加などにもつながらず、衛生的かつ環境面においても効果の程が大きいものである。
【図面の簡単な説明】
【図１】この発明の一実施形態を示す斜視図である。
【図２】本実施例を示す平面図である。
【符号の説明】
１  便器蓋裏
２  ペーパーシート収納ボックス
３  ペーパーシート取り出し部分
４  便座
５  ペーパーシートカット部分
６  ペーパーシート
７  ペーパーシートのり付け又は切り取りミシン線
【図１】
2008200462.tif 000003
【図２】
2008200462.tif 000004
(57)【要約】      （修正有）【課題】乳幼児の不快感など、肌への悪影響のない、さらっとした肌ざわりのスポンジ製ベビー用バスの提供。【解決手段】凹状部が切り欠き形成されたスポンジ体１を、紐体３を調整することにより開閉する柔らかい網状袋体３内に収納した乳幼児用のスポンジ製ベビーバスで、使用後は吸盤４フックに吊り下げて水切り、乾燥ができる。【選択図】図２
2008200467.tif 000002
【特許請求の範囲】
【請求項１】
凹状に切り欠き形成されたスポンジ体を、開閉部を有する網状袋体内に収納したことを特徴とする乳幼児用のスポンジ製ベビーバス。
【発明の詳細な説明】
【技術分野】
【０００１】本発明は、乳幼児を寝かせた状態で体を洗う、スポンジ製ベビー用バスに関するものである。
【背景技術】
【０００２】従来のスポンジ製ベビーバスは、乳幼児がお湯に浸かった状態で体を洗う硬質プラスチック製のバスタブに比べ、頸の座っていない乳幼児の頭を支えたり、お湯を飲み込こまないように気を付けたりする煩わしさがないので、安心して楽に体を洗ってあげることのできる便利なものであった。【０００３】ところで、このスポンジ製ベビーバスには水切れなども勘案してポリウレタンフォームのような軟質の発泡樹脂が使われることが多い。しかしながら多孔質の表面の質感や、お湯や泡を吸い込んだスポンジのヌルッとした触感は、乳幼児の敏感な肌には必ずしも快適なものではない。【０００４】すなわちスポンジが表面が剥き出しの状態は、乳幼児の肌への生理面、心理面の影響を考えると最適のものとはいえないのである。
【発明の開示】
【発明が解決しようとする課題】
【０００６】本発明の技術的課題は、機能面のみならず、乳幼児の肌への生理面、心理面の影響を考えた最適のスポンジ製ベビー用バスを提供することである。
【課題を解決するための手段】
【０００７】前記課題を解決するため本発明は、凹状に切り欠き形成されたスポンジ体を、開閉部を有する柔らかい網状袋体内に収納した乳幼児用のスポンジ製ベビーバスとする。
【発明の効果】
【０００８】上述した構成により、乳幼児への不快感がない、さらっとした肌ざわりになるので安心して使用できるという効果がある。
【発明を実施するための最良の実施の形態】
【０００９】本発明は、凹状に切り欠き形成されたスポンジ体を、開閉部を有する柔らかい網状袋体内に収納する構成とする。
【実施例】
【００１０】本発明の実施の形態を図１〜図２に基づいて説明する。図１において乳幼児の仰臥時の体形に沿って凹状に切り欠き形成されたスポンジ体１を紐体２を調節することによる開閉する、柔らかい繊維を網状に編んだ生地を縫製した袋体３内に収納する。【００１２】上述のように構成された本発明品の上に乳幼児を仰臥させて、体を洗浄すれば、多孔質の表面のイヤな質感や、お湯や泡を吸い込んだスポンジのヌルッとした感じのないさらっとした触感となり、不快感で泣いたりすることもなくスムースに洗うことができる。また網状であるため、水切れが良い上、スポンジ単体より摩擦に強く耐久性も向上する。【００１３】さらに、使用後は図２のように、吸盤フック４に吊り下げて水切り、乾燥ができるので清潔に保管でき、次回の使用の時も安心である。
【図面の簡単な説明】
【図１】本発明品の実施例の斜視図
【図２】本発明品の実施例の吊り下げ時の斜視図
【符号の説明】
１  スポンジ体
２  紐体
３  網状袋体
４  吸盤フック
【図１】
2008200467.tif 000003
【図２】
2008200467.tif 000004
(57)【要約】【課題】人間が体の疲れ、痛みを感じないで、日常生活（就寝、ドライブデスクワーク等）を送りたいと言うことは、人間の悲願である。しかし、現実には、慢性疲労や体の各部のこり、痛みが多発する。この突起付座布団等を生活の中にとり入れて使用すれば、薬、整体、針治療をすることなく、緒症状の発生減少、予防に効果がある。【解決の手段】座布団、敷布団、椅子、車の座席等の中央に棒状の突起物を内蔵させる。本発明品に座ったり、背中に敷いて寝ると、人間の骨格を自然な状態に正し、かつ、保持することを可能にする。【選択図】図１
2008200468.tif 000002
【特許請求の範囲】
【請求項１】
座布団、椅子、車の座席、敷布団の上部、又はそれらのカバー等に突起物をつける。
【請求項２】
請求項１の突起物が不必要の時には、棒状の突起物の左右にパットを置き普通の座布団椅子、車の座席、敷布団として使用する。
【請求項３】
請求項１、請求項２、の緒素材にトルマリンファイバー電気石等、マイナスイオン、遠赤外線効果のあるものを使用する。
【請求項４】
痔疾の治療、予防に有効である。
【発明の詳細な説明】
【技術分野】
【０００１】本発明は座布団等の中心線に棒状の突起物があるが故に座った時、寝ている姿勢の時に、背骨を下から上に支え上げて、肩、鎖骨背骨に、無理な負担をかけない様にする。【０００２】従来の座布団、椅子、座席、敷き布団にはこの様な発想で作られたものはない。
【発明の開示】
【発明が解決しようとする課題】
【０００３】人間は２足歩行をする様になったことにより、背骨等に無理がかかり、肩こり、腰痛等が発症しだしたという見解があるが本当だろうか。そうとばかりは言えないのではないか。人間は座った姿勢での生活時間が長くなったことにより、発症が増加、又発症しないまでも、疲労を感じ易くなったのである。これらのことを予防、解消するためには本発明品の使用は最適である。座った姿勢になると、立っている時には頭、肩等の上半身の重さを骨盤と足が一体となって支えているが、それらが半減し、臀部の中心部の背骨が立っている時より下降する。
その結果、肩、鎖骨に無理がかかり、猫背になる。そのために肩こり、腰痛、疲労感等が生じる。猫背姿勢になると運転中のドライバーの視線が下向になる。正常な視界を保つためには、意識的、無意識的にも視線を上向にしなければならない。そのため、目と首、背に無理が生じ、疲労感が倍増する。本発明は、これらの課題を解決するためになされたものである。
【課題を解決するための手段】
【０００４】座布団等の表裏にトルマリンシート▲３▼を使用し、中心部に縦にトルマリ鉱石
2008200468.tif 000003
敷布団（図３）に寝る時は、中心部の棒状突起物が背骨に当たる様に使用する。
【発明の効果】
【０００５】この発明品を使用すると、起立した姿勢と同じ力が上半身にかかり痛み、肩こり、疲労感、運転中の目の疲れ、疲労感の発生の軽減に効果がある。
【実施例１】
【０００６】基本的な考え方は、座布団、椅子、自動車の座席、敷布団みな同じである。これらの中心線に、たてに棒状突起物▲２▼をつける。▲２▼の中には、トルマリン鉱石又はその粉末等を入れる。又これらのカバー又はその下地にトルマリンファイバー（マイナオン発生繊維）▲３▼を使用する。
【図面の簡単な説明】
【０００７】
【図１】本発明品の断面図である
【図３】本発明品は、背中上半身の背骨に当たる長さの棒状突起物▲２▼を敷布団の中央につけたものである。
【図６】本発明は、棒状突起物に違和感がした時に、それを補正するパット▲５▼である。
【符号の説明】
【０００８】１、本休
２、棒状突起物
３、マイナスイオン発生繊維
４、緩衝材
５、補正パット
【図１】
2008200468.tif 000004
【図２】
2008200468.tif 000005
【図３】
2008200468.tif 000006
【図４】
2008200468.tif 000007
【図５】
2008200468.tif 000008
【図６】
2008200468.tif 000009
【手続補正書】
【提出日】平成19年5月16日(2007.5.16)
【手続補正１】
【補正対象書類名】明細書
【補正対象項目名】０００７
【補正方法】変更
【補正の内容】
【０００７】
【図１】本発明品（座布団）の平面図である。符号▲２▼の棒状の袋の中にトルマリン鉱石を入れ、突起を作る。
【図２】本発明品（座布団）の平面図である。
【図３】本発明品（敷布団）の平面図である。敷布団の背中上半身の背骨に当たる長さの棒状突起を作るため符号▲２▼の中にトルマリン鉱石を入れる。
【図４】本発明（敷布団）の断面図である。
【図５】本発明品（椅子、車の座席）の平面図である。［図２］の発明品と椅子、車の座席等を一体としたものである。
【図６】
2008200468.tif 000010
(57)【要約】【課題】  従来、ヒーターが遠赤外線を放出することよって風味豊かな焼調理をする器具はあったが、陶板による調理では肉などから出る汁の処理が不十分であることや炭火では十分な遠赤外線の効果が得ることができなかった。本発明の目的は遠赤外線の効果を十分に引き出して風味豊な調理をすることができる調理器具であって、野外での調理にも持ち運びのできる調理器具を提案することにある。【解決手段】  本発明の目的は遠赤外線を発生し、粘土からなることを特徴とする網状調理器具によって達成される。【選択図】      図１
2008200262.tif 000002
【特許請求の範囲】
【請求項１】
遠赤外線を発生し、粘土からなること特徴とする網状調理器具。
【請求項２】
耐熱食器用粘土からなる枠、および該枠と実質同一成分からなり、該枠に接着している略格子状物からなる調理器具。
【請求項３】
隙間比率が６５％以下であることを特徴とする請求項1又は2記載のの調理器具。
【請求項４】
外形が円形又は非円形の枠を耐熱食器用粘土で作り、（１）その内側に紐状耐熱食器用粘土を一方向に複数本枠に接着し、（２）次いで該紐状食器用耐熱粘土に対して略直角方向に複数本を枠に接着し、紐が重なり合う部分を圧着せしめて格子状にし、更に（１）及び（２）を繰り返し、隙間比率を65%以下であることを特徴とする網状調理器具の製造方法。
【発明の詳細な説明】
【技術分野】
【０００１】
本発明は網状調理器具に関し、特に太い食器用耐熱粘土の紐状網を使用することによって網及び陶板や鉄板で調理する両方の長所が得られる網状調理器具に関するものである。
【背景技術】
【０００２】
従来、魚や肉、野菜などを焼く網は鉄を中心とした金属製であった。金属製の焼き網は使用後の手入れが十分でないとすぐに錆が発生してしまうことおよび内部まで十分に焼けない欠点があった。他方、陶板によって肉や魚を焼くことも提案され遠赤外線の効果も出て、良い風味のものが得られたが、特に肉や魚肉から出る汁がうまく排出できない欠点があった。
【０００３】
また、遠赤外線の効果を得ようとする提案がある（特許文献１、特許文献２）が、いずれもヒーターから出る遠赤効果を活用したものである。これらの提案では野外での調理では活用することができない。更に遠赤外線の活用では備長炭から放出される遠赤外線を利用するための炭火焼き器が提案されている（特許文献３）が遠赤外線の効果が十分ではなかった。
【０００４】
【特許文献１】特開２０００−２０５５７３号
【特許文献２】特開２００３ー４２３９号
【非特許文献１】特開２０００−３２９３４８号
【発明の開示】
【発明が解決しようとする課題】
【０００５】
従来、ヒーターが遠赤外線を放出することによって風味豊かな焼調理をする器具はあったが、陶板による調理では肉から出る汁の処理が不十分であることや炭火では十分な遠赤外線の効果が得ることができなかった。本発明の目的は遠赤外線の効果を十分に引き出して風味豊かな調理をすることができる調理器具であって、野外での調理にも持ち運びのできる調理器具を提案することにある。
【課題を解決するための手段】
【０００６】
本発明の目的は遠赤外線を発生し、粘土からなることを特徴とする網状調理器具によって達成される。
【発明の効果】
【０００７】
本発明になる遠赤外線を発生し、粘土からなることを特徴とする網状調理器具は遠赤外線を放出するために焼く対象物、特に肉や魚については表面だけでなく内部まで十分に焼けることが特徴であり、味覚の点からはもちろんであるが、衛生的にも大変好ましく使用することができる。
【０００８】
他方、肉や魚の場合は焼くことによって肉汁が滲み出る。この肉汁はほどよく流出することによって、肉や魚の表面の肉汁がほどよく減少し、内部の肉汁が閉じこめられることになって、舌触りを中心とする食感が向上と絶妙の味を得ることができる。
【０００９】
従来の金属からなる焼き網は肉汁の流出についてはかなり満足できるものであったものの、焼き物の内部まで十分焼くことはできなかった。他方、陶板などに代表されるものでは逆の傾向があり、両者を満足するものはなかった。本発明によって、初めて両者を満足できるものになったものである。
【発明を実施するための最良の形態】
【００１０】
本発明で言う耐熱食器用粘土とは食器などに一般的に使用されている粘土であれば目的を達成することができる。使用手段が直火に晒されることから耐熱性を有する粘土であることが好ましい。また、釉薬は必ずしも必要ではないが、釉薬を使用することが好ましく、釉薬を使用する場合は紐状物を構成している粘土の熱に対する長さ変化が同程度であることが好ましい。熱に対する長さ変化が大きく異なる場合は皹が入ったり、場合によっては割れてしまうことがある。
【００１１】
熱衝撃試験は、試料をその種類に応じ、それぞれ次の表の試験温度差(加熱温度と水の温度差)になるようにあらかじめ加熱した恒温器の中に資料を1時間保持した後、直ちに２４±３℃の水槽中に投入し、資料が水温まで冷えてから取り出して、釉薬層および素地の欠点を調べる。        種類                      試験温度差（℃）
直火用（高耐熱）          ２８０〜２９０
直火用                    １５０〜１６０
天火用（３００℃以下）    １５０〜１６０
天火用（２００℃以下）    １２０〜１２８
以上の４種類があり、陶製焼き網は直火高耐熱用の耐熱食器粘土を使用するものである。この条件で割れることなく皹が入ることがないことを指す。
【００１２】
耐熱食器用紐状粘土断面形状は略円形であることが好ましく、太さは３mm〜１０mmの紐状からなり、長さは特に限定することはない。ただ、製品の１本の紐は連続して紐状に加工されていることが好ましい。つまり１本の紐状物がつながっていることが好ましい。
【００１３】
格子状とは略平行に並んだ複数本の紐状物と該紐状物に対して略直角に並んだ複数本の紐状物が重なり、その交点は圧着せしめて格子状を形成しているものである。この重なりの数は特に限定されないが、１以上５以下が好ましく適用できる。特に好ましくはその重なりの数は２以上４以下である。
【００１４】
隙間比率とは外枠で形成される網全体の面積に対する紐状物が存在しない部分の面積比率である。具体的な隙間比率の求め方は、網に対して直角に当てた平行光線を紙に写し、枠によって形成される網の全面積に対して光が通った部分の面積の和を百分率で表したものである。隙間比率は６５％以下であれば良いが、好ましくは５０％である。なかでも特に好ましくは３５％以下である。  
【産業上の利用可能性】
【００１５】
本発明の焼き網は野菜、魚肉、獣肉などをはじめとして食用になる焼き物に広く適用することができる。特に魚肉や獣肉に適用することで食料の中心部分にまで熱が通り、同時に表面は適度の肉汁が存在し、内部は十分な肉汁があり、大変好ましい焼き網として使用することができる。
【図面の簡単な説明】
【００１６】
【図１】表側から見た網の正面図である。
【符号の説明】
【００１７】
A                粘土の枠
B1、B2、B3、B4    網を構成する紐状粘土
C1、C2            圧着部分
【図１】
2008200262.tif 000003
(57)【要約】  【課題】  インクジェット装置のラスター方式による描画方法で、描画する輪郭が理論上の輪郭と誤差の出ないようにする方法を提供する。  【解決手段】      ガーバーデーターの輪郭座標を算出し、その輪郭座標のＸ軸の位置が同じＹ軸のプラス側位置とマイナス側位置での距離６を算出し、輪郭にあたる座標はそのままにし、インクドット２の間に隙間が出来ないように等分し、データーを作成し、ラスター方式による描画方法を提供する。  【選択図】  図２
2008200980.tif 000002
【特許請求の範囲】
【請求項１】
インクジェット装置のラスター方式による描画において、ガーバーデーターの輪郭座標を算出し、輪郭にあたる座標はそのままにし、インクドットの間に隙間が出来ないように当分しデーターを作成し、ラスター方式により描画することを特徴とするラスター方式による輪郭補正方法。
【発明の詳細な説明】
【技術分野】
【０００１】
本発明は、インクジェット装置においてラスター方式による輪郭補正方法に関する
ものである。
【背景技術】
【０００２】
インクジェット装置の描画方法に、ラスター方式とベクター方式がある。ラスター方式は、ライン状で描画するため描画速度は速いが、輪郭が理論上の輪郭と誤差が出来てしまう特徴がある。一方ベクター方式は、輪郭が理論上の輪郭と同じに描画できるが、速度が遅いという特徴がある。
【０００３】
インクジェット装置の描画においては、描画速度が速いラスター方式で、描画する
輪郭が理論上の輪郭と誤差の出ないようにする方法が期待されている。
【発明の開示】
【発明が解決しようとする課題】
【０００４】
インクジェット装置のラスター方式による描画方法で、描画する輪郭が理論上の輪郭と誤差の出ないようにする方法が求められている。
【課題を解決するための手段】
【０００５】
本発明は、ラスター方式による描画において、ガーバーデーターの輪郭座標を算出し、その輪郭座標のＸ軸位置が同じＹ軸のプラス側位置とマイナス側位置での距離を算出し、輪郭にあたる座標はそのままにし、インクドットの間に隙間が出来ないように等分し、データーを作成し、ラスター方式による描画方法を提供する。
【発明の効果】
【０００６】
輪郭が理論上の輪郭と誤差のない描画を行う方法として、ラスター方式を使用できることは、描画速度の遅いベクター方式を使用せずとも目的を達成することが出来ることを意味する。このことにより、描画速度が速く輪郭が理論上の輪郭と誤差のない描画を普及させることが出来る。
【実施例】
【０００７】
従来のラスター方式による描画は、図１に示す通りである。理論上の輪郭１とインクドット２の間に隙間が出来、輪郭は理論上の輪郭１と一致していない。
【０００８】
図２は、本発明によって描画される状態である。理論上の外郭１とインクドット２の間に隙間が無く、輪郭が理論上の輪郭１と同じになる。
【０００９】
図３は、図２の部分拡大図である。本図を用いて、本発明の描画方法について説明する。ガーバーデーターより理論上の輪郭１の座標を算出する。次にＸ軸４上の任意の点におけるＹ軸方向のプラス側の理論上の輪郭１と交差する点よりインクドット２のインクドット半径８の寸法を引いたＹ軸座標を決定する。前記Ｘ軸４の任意の点におけるＹ軸方向のマイナス側の理論上の輪郭１と交差する点よりインクドット２のインクドット半径８の寸法を引いたＹ軸座標を決定する。この２点より輪郭座標のＸ軸位置が同じＹ軸のプラス側位置とマイナス側位置での距離６を算出する。この輪郭座標のＸ軸位置が同じＹ軸のプラス側位置とマイナス側位置での距離６をインクドット２の直径で除算する。結果は整数にならないので小数点以下を切捨てる。そして、その除算値で輪郭座標のＸ軸位置が同じＹ軸のプラス側位置とマイナス側位置での距離６を除算し、インクドットピッチ５を算出し、輪郭座標のＸ軸位置が同じＹ軸のプラス側位置とマイナス側位置での距離６の間での座標を算出する。座標は、輪郭にあたる座標はそのままにし、前記輪郭座標のＸ軸位置が同じＹ軸のプラス側位置とマイナス側位置での距離６の間での座標にインクドット２を当てはめた時に隙間が生じないか検証する。隙間が生じれば、インクドットピッチ５を小さくし輪郭座標のＸ軸位置が同じＹ軸のプラス側位置とマイナス側位置での距離６の分割数を多くする。インクドット２の重なりは生じるが隙間は出来ない。輪郭座標のＸ軸位置が同じＹ軸のプラス側位置とマイナス側位置での距離６の間にインクドット２を配置する際、片方の理論上の輪郭１座標と接するインクドット外輪７のインクッドット座標と次のインクドット２の座標ピッチは、インクドットピッチ５と同じであるが、もう片方の理論上の輪郭１座標と接するインクドット外輪７のインクッドット座標とインクドット２の座標ピッチは、インクドットピッチ５と同じにならないがインクドット２の間に隙間が出来ない座標とする。
【００１０】
上記の方法で描画データーを作成し、ラスター方式により描画を行う。
【産業上の利用可能性】
【００１１】
上述の発明は、インクジェット装置の描画方法において、高速且つ正確な描画方法を普及させるために利用可能である。
更に、ラスター方式を普及するために利用することが出来る。
【図面の簡単な説明】
【００１２】
【図１】従来のラスター方式による描画である。
【図２】本発明のラスター方式による描画である。
【図３】本発明のラスター方式による描画の部分拡大図である。
【符号の説明】
【００１３】
１・・・理論上の輪郭
２・・・インクドット
３・・・Ｙ軸
４・・・Ｘ軸
５・・・インクドットピッチ
６・・・輪郭座標のＸ軸位置が同じＹ軸のプラス側位置とマイナス側位置での距離
７・・・インクドット輪郭
８・・・インクドット半径
【図１】
2008200980.tif 000003
【図２】
2008200980.tif 000004
【図３】
2008200980.tif 000005
(57)【要約】  【課題】  インクジェット装置のラスター方式描画において、理論上の輪郭との間に隙間が出来ない方法を提供する。  【解決手段】      本発明は、インクジェット装置の描画方法において、ラスター方式による描画を行った後、ベクター方式による補完運転を行い、理論上の輪郭との間に隙間が出来ない方法を提供する。  【選択図】  図３
2008200982.tif 000002
【特許請求の範囲】
【請求項１】
インクジェット装置の描画方法において、ラスター方式による描画を行った後、ベクター方式による補完運転ができることを特徴としたベクター方式による補完運転方法。
【発明の詳細な説明】
【技術分野】
【０００１】
本発明は、インクジェット装置において描画方式に関するものである。
【背景技術】
【０００２】
インクジェット装置の描画方法にラスター方式がある。ラスター方式は、ライン状で描画するため描画速度は速いが、輪郭が理論上の輪郭と誤差が生じ、理論上の輪郭との間に隙間が出来てしまう。
【０００３】
インクジェット装置のラスター方式描画において、理論上の輪郭との間に隙間が出来ない方法が期待されている。
【発明の開示】
【発明が解決しようとする課題】
【０００４】
インクジェット装置のラスター方式描画において、理論上の輪郭との間に隙間が出来ない方法を提供する。
【課題を解決するための手段】
【０００５】
本発明は、インクジェット装置の描画方法において、ラスター方式による描画を行った後、ベクター方式による補完運転を行い、理論上の輪郭との間に隙間が出来ない方法を提供する。
【発明の効果】
【０００６】
ラスター方式によるインクジェット装置において、理論上の輪郭との間に隙間が出来ない方法を提供することができる。ベクター方式のインクジェット装置を使用する必要がないため、設備の簡素化が可能となる。更に、ラスター方式によるインクジェット装置の普及に貢献することが出来る。
【実施例】
【０００７】
図１は、インクジェットヘッドの図面である。インクジェットヘッド１には、ノズル列２が設けてあり、インク３を吐出できる。
【０００８】
まず、従来通りのラスター描画を行う。図２は、従来の描画状況の図である。インクドット５は、理論上の輪郭６との間に隙間４が発生する。
【０００９】
インクジェットヘッド１よりベクター方式で描画するノズル７を１つ選択する。図３は、本発明で使用するインクジェットヘッドのノズル図面である。ベクター方式で描画するノズル７が選択されている。
【００１０】
次に、ベクター方式で描画するノズル７を使用して、隙間４を埋めていく補完運転をベクター方式により行う。理論上の輪郭６をベクター方式により描画し、更に理論上の輪郭６の内側を隙間がなくなるように、ベクター方式により補完運転を行う。
【００１１】
上記の方法で、描画することにより正確な描画が達成される。図４は、本発明の描画状況の図である。このように、隙間の無い正確な描画を提供することが出来る。
【産業上の利用可能性】
【００１２】
上述の発明は、インクジェット装置の描画方法において、正確な描画方法を普及させるために利用可能である。更に、ラスター方式のインクジェット装置を普及するために利用することが出来る。
【図面の簡単な説明】
【００１３】
【図１】インクジェットヘッドの図面である。
【図２】従来の描画状況の図である。
【図３】本発明で使用するインクジェットヘッドのノズル図面である。
【図４】本発明の描画状況の図である。
【符号の説明】
【００１４】
１・・・インクジェットヘッド
２・・・ノズル列
３・・・インク
４・・・隙間
５・・・インクドット
６・・・理論上の輪郭
７・・・ベクター方式で描画するノズル
【図１】
2008200982.tif 000003
【図２】
2008200982.tif 000004
【図３】
2008200982.tif 000005
【図４】
2008200982.tif 000006
(57)【要約】  【課題】  インクジェット装置において、水平垂直方向と水平垂直以外の描画を、描画速度が速いラスター方式のみで描画する方法を提供する。  【解決手段】      インクジェット装置よる描画において、描画対象物１を回転させ、ラスター方式のみで描画することを特徴とするラスター方式による描画方法を提供する。  【選択図】  図１
2008200981.tif 000002
【特許請求の範囲】
【請求項１】
インクジェット装置よる描画において、描画対象物を回転させ、ラスター方式のみで描画することを特徴とするラスター方式による描画方法。
【発明の詳細な説明】
【技術分野】
【０００１】
本発明は、インクジェット装置においてラスター方式による描画方法に関するものである。
【背景技術】
【０００２】
インクジェット装置の描画方法に、ラスター方式とベクター方式がある。ラスター方式は、ライン状で描画するため描画速度は速いが、水平垂直方向以外の描画については輪郭が理論上の輪郭と誤差が出来てしまう特徴がある。一方ベクター方式は、輪郭が理論上の輪郭と同じに描画できるが、速度が遅いという特徴がある。
【０００３】
インクジェット装置の水平垂直以外の描画においても、描画速度が速いラスター方式で描画する方法が期待されている。
【発明の開示】
【発明が解決しようとする課題】
【０００４】
インクジェット装置において、水平垂直方向と水平垂直以外の描画を、描画速度が速いラスター方式のみで描画する方法を提供する。
【課題を解決するための手段】
【０００５】
インクジェット装置よる描画において、描画対象物１を回転させ、ラスター方式のみで描画することを特徴とするラスター方式による描画方法を提供するものである。
【発明の効果】
【０００６】
水平垂直方向及び水平垂直方向以外の斜めの描画を全て、ラスター方式で描画することが出来る。このことにより、描画速度が速いラスター方式を普及させることが出来る。
【実施例】
【０００７】
本発明について、図１を用いて説明する。描画対象物１を水平垂直部分５と傾斜部分６に分割する。水平垂直部分５を抜き出した図が図２である。また、傾斜部分６を抜き出した図が図３である。
【０００８】
図２は、描画対象物１より水平垂直部分５を抜き出したものである。そして、この水平垂直部分５をラスター方式で描画を行う。
【０００９】
次に、描画対象物１が載っているテーブルを傾斜角度４だけ回転させる。回転方法は、モーター等角度を正確に駆動するものであれば良い。回転させる前の傾斜部分６の状態図が図３である。これを傾斜角度４だけ回転させると図４の通り、傾斜部分６は水平状態になる。そして、この状態で傾斜部分６をラスター方式で描画を行う。
【００１０】
上記のように、描画対象物１を水平垂直部分５と傾斜部分６に分割し、傾斜部分６を水平方向になるように回転させることで、全ての部分がラスター方式による描画の対象になり描画を行うことが出来る。このようにして、ラスター方式により水平垂直方向及び水平垂直方向以外の斜めの描画を全て描画することが出来る。
【産業上の利用可能性】
【００１１】
上述の発明は、インクジェット装置の描画方法において、高速且つ正確な描画方法を普及させるために利用可能である。
更に、ラスター方式を普及するために利用することが出来る。
【図面の簡単な説明】
【００１２】
【図１】本発明の描画最終図である。
【図２】本発明の水平垂直方向の描画物である。
【図３】本発明の斜め方向の描画物である。
【図４】本発明の斜め方向の描画物を水平方向にした図である。
【符号の説明】
【００１３】
１・・・描画対象物
２・・・Ｙ軸
３・・・Ｘ軸
４・・・傾斜角度
５・・・水平垂直部分
６・・・傾斜部分
【図１】
2008200981.tif 000003
【図２】
2008200981.tif 000004
【図３】
2008200981.tif 000005
【図４】
2008200981.tif 000006